(57)【要約】      （修正有）【課題】家の内外、自動車の内外と場所を問わず、自由自在に取り付け、取り外して、写真だけではなく、いろいろな用途で簡単に使用できる兼用蛇腹スタンド装置を提供する。【解決手段】対象となる物を掴んで固定する強力クリップ部と、それにボルトで接続された３０ｃｍ長のフレキシブルチューブの本体部と、その先端にやはりボルトで接続された平面の台座部で構成される。強力クリップは、二輪車両等のハンドルフレームに取り付ける掴み部分が楕円形のクリップ部分と、会社や工場や、家庭に於いてのデスク家具等の突出部に取り付けられる平板なクリップ部分との併用型のものである。フレキシブルチューブの本体部は、柔軟にして、Ｕ字型の急角度などの変形にも折り曲げることができ、そのまま支持固定しておくことも出来る。【選択図】図１
0003154024.tif 000002
【実用新案登録請求の範囲】
【請求項１】
自転車、原動機付き自転車、自動二輪、等車両のフレーム部にフレーム用金物を取り付け固定して強力な大型クリップで挟むのと、強力大型クリップ自体をフレームの形に加工して取り付ける二通りの方法があり、それらにボルトで取り付けたフレキシブルチューブの先端に再びボルトで直接カメラまたは台座を取り付けて、カメラ台、メモ台、読書台、弁当台に利用出来る、また、いつでも取り外して、会社でのデスクワークや自宅での趣味、作業等、あらゆる職種と業務に関わる場所やシーンで、固定できる対象物に強力クリップで固定し、フレキシブルチューブで自在に立ち上げ、その先端部にボルトで台座を取り付け、メモ台、読書台、パソコン台等の用途で兼用して利用できる兼用蛇腹スタンド装置の提供。
【考案の詳細な説明】
【技術分野】
【０００１】自転車、原動機付き自転車、自動二輪等他車両全般のカメラ台、メモ台、読書台であり、付属便利品でもあります。また、家庭及び事務所、作業所等に於いては、メモ台、読書台、パソコン台等になる兼用蛇腹スタンド装置。
【背景技術】
【０００２】自転車などの車両に乗って走行中、一瞬のシャッターチャンスに巡り合うことがある。【０００３】パソコン使用時、メモを片手で持ったり、テーブル上に置いたりして使用している、また、クリップを使用する例もあり、書見台を利用する場合もある。【０００４】料理をしている時、ふっと思い立ったことをメモる時に垂直壁とかを利用したり、食卓台等を利用して書く。【０００５】寝る前に、読書したりテレビを観たりする時、同じ姿勢では疲れるので、首を曲げたり、体勢位置を良く変更したりする。【０００６】行楽時、記念写真を撮る時、セルフタイマーを使って全員を写す場合がある。【０００７】いろいろな業務をする時に、事務所、工場、作業所で、メモ帳と鉛筆を必要として探し回る時が良くあり、機械の運転中、時々メモする事柄に迫られることがある。【０００８】昼食時の弁当、お茶、味噌汁等を自動車内で食べる。【０００９】テーブルの無い椅子で読書する時、片手で本を掴んでいるのが普通です。
【考案の開示】
【考案が解決しようとする課題】
【００１０】急にカメラを取り出して構えるのに時間が掛かり、シャッターチャンスを逃したり、また、写した情景や感動を記憶に留めて自宅へ戻ると忘れている。従って、停車時に二輪の車両等に腰掛けたまま、すぐそのままメモしたり、カメラを構えたり、地図等の本、雑誌類を眺めたりできるように工夫する。【００１１】パソコンの使用時は、モニターとキーボードとメモの文字サイズ距離が、操作する人の視線と等距離でなければ、視力を弱めるし苦痛にもなるので、できる限り等距離を自分自身で調整ができるようにする。【００１２】料理中、フッと思い立ったことをメモしたい時、垂直壁を利用して記していては、最適な角度でない場合が多く視力を弱める元凶である。【００１３】就寝時、読書したり、テレビを観たりする時、目線の距離、角度にムラが生じ易く、疲れ易くなるので姿勢を変更しても問題のないようにする。【００１４】行楽時のセルフタイマー使用は、自然界の中では、丁度良い高さ、丁度良い位置、丁度良い距離、丁度良い角度を見つけるのがいかなる時でも困難。【００１５】４輪自動車内にあって、昼食時の弁当、お茶、味噌汁等を飲食する時、置くスペースは限られ、バラバラに置かれている。【００１６】運転中や作業中での不使用時は邪魔にならないようにして、イザ、必要な時だけ目の前にあって作業ができると便利であり、クリップ方式であれば、何処でも凸凹部さえあれば随時、臨時に取り付けられるので便利。【００１７】テーブルの無い椅子で、対象の本や雑誌を読む時、片手に持って読むのは、肩が凝ったり、腕も疲れるから、お年寄りの健康にも不都合であり、負担軽減の措置を講ずる必要がある。【００１８】メモ、雑誌、本類を読む時、それらの対象物の位置は固定したままであるから、当然読む側（人）も全く同様の位置、体勢を維持しなければならない、それは同時に疲労の元であるし、飽きることでもあるし、健康上も芳しいものではない、読まれるメモ、雑誌、本等に距離、角度を合わせるのではなく自分の体勢に合わせるのがこれからの読書術ではないだろうか。
【課題を解決するための手段】
【００１９】テーブルや家具等の縁を利用して、それに即した強力なクリップ等を使って固定し、どんな姿勢からでも、フレキシブルチューブが人の動きに手の平ひとつで適応してくれる兼用蛇腹スタンド装置。【００２０】フレキシブルチューブは適度に固く、本や雑誌程度の軽い物では、変形させても十分にその機能を発揮させることができ、距離、角度を適正な位置に据えることができる兼用蛇腹スタンド装置。【００２１】自転車など車両のフレームに取り付ける場合は、あらかじめ丸型のフレームに合わせた金物を取り付けておき、それに本考案品のスタンド装置の強力クリップで止める物や、また、強力クリップを丸型フレームの形に適合するような形にした兼用蛇腹スタンド装置もある。【００２２】フレキシブルチューブは、走行中や非作業時には、邪魔にならない位置に傾けておけばよく、停車時、また使用時には即座に立てて使用することができる兼用蛇腹スタンド装置。【００２３】片手で本を持つ行為に於いては、人は本能的で視力に丁度良い距離と角度を保とうとするものであるから、それに適合する位置を選択できるものにする。
【考案の効果】
【００２４】写したい場面があっても、自転車やバイクを停止させて降車し、カバン等からカメラを出して、構えなければならなかったが、この兼用蛇腹スタンド式だと、乗車したまま倒していたフレキシブルチューブを、立て掛けるだけで準備が整い、スピーディーで、便利で、楽に撮影が可能であり、同時に撮影に関わるメモも残せる、また軽食も行えるし、読書も可能。【００２５】外出先ではカメラ用の三脚代わり、家庭では読書台として使うなど、今まででは考えられなかったクリップ方式採用のため、家の内外、自動車の内外と場所を問わず、自由自在に取り付け、取り外して、写真だけではなく、いろいろな用途で簡単に使用できる。【００２６】今までは目線と文字との距離、角度など考えもせず、視力を苛めていたが、本考案は、人物と目線と文字との相関関係性を追及する結果、その人にとっての最高の位置関係である文字の距離、角度が重要であることを理解できた。
【考案を実施するための最良の形態】
【００２７】図１の強力クリップで固定してから、ボルトナットでフレキシブルチューブを取り付け、その先端部に再びボルトを取り付け、直接カメラや台座が取り付けられるようにする、更に台座端にもカメラ取り付け用のボルトが出ている兼用蛇腹スタンド装置。【００２８】図２のように、２輪車のフレームに取り付けたり、テーブルや椅子や家具の縁、等にも取り付けられるようにする関係上、強力なクリップの押さえる部分は楕円形であり、且つ、平らでもある必要がある。【００２９】メモ台機能としてもあるので、鉛筆類が用意できるゴムバンドが必要。【００３０】本製品は、フレキシブルチューブの採用に着眼点があって、邪魔なら退かす、必要になったら目の前に持ってくる、という自在性の長所を生かす。【００３１】台座の大小、フレキシブルチューブの長短は、その使途によって変える。【００３２】強力クリップを対象物に留める際は、マジックテープの摩擦力を追加してその補助として使用する。
【図面の簡単な説明】
【００３３】
【図１】蛇腹スタンド装置の全展開図
【図２】強力クリップ丸フレーム適用型のやや斜視図
【図３】丸フレーム接続金物の展開図
【図４】普通強力クリップの側面図
【符号の説明】
【００３４】［図１］
１、強力クリップ本体
２、フレキシブルチューブ
３、台座
４、台座または、カメラ取り付け用ボルト
５、カメラ取り付け用ボルト
６、カメラ
７、カメラの落下防止の輪
８、鉛筆用ゴム止め
［図２］
１、強力クリップ丸フレーム型本体
２、車両の丸フレーム部に取り付ける開口部
［図３］
１、車両の丸フレーム部に取り付ける接続の器具部材
２、接続部材に取り付ける平板、ディスク等の凹凸用強力クリップを止めるための板
［図４］
１、普通の照明器具用の強力クリップ
２、照明器具などに使用される用のフレキシブルチューブ
【図１】
0003154024.tif 000003
【図２】
0003154024.tif 000004
【図３】
0003154024.tif 000005
【図４】
0003154024.tif 000006
【手続補正書】
【提出日】平成21年4月2日(2009.4.2)
【手続補正１】
【補正対象書類名】実用新案登録請求の範囲
【補正対象項目名】全文
【補正方法】変更
【補正の内容】
【実用新案登録請求の範囲】
【請求項１】
対象となる物を掴んで固定する強力クリップ部と、それにボルトで接続された３０センチ長のフレキシブルチューブの本体部と、その先端にやはりボルトで接続された、Ｂ５またＡ４相当の平面の台座部で構成され、強力クリップは二輪車両等のハンドルフレームに取り付ける掴み部分が楕円形のクリップ部分と、会社や工場や作業や、家庭に於いてのデスク家具等の突出部に取り付けられる平板なクリップ部分との併用型のものとして、更にそれにボルトナットで接続するフレキシブルチューブの本体部は、柔軟にして、Ｕ字型の急角度などの変形にも折り曲げることができ、そのまま支持固定しておくことも出来る物であり、フレキシブルチューブの別の片方の先端に埋め込んだボルトには直接にカメラや、またプラスチック製台座や木製台座やアルミ製台座等の物を嵌めて、ナットで固定一体化して、どのような複雑な場所での使用でも適度な目線距離等が保てるように、強力クリップ部を支点にして、自由自在にフレキシブルチューブを動かし、台座やカメラを適正な位置に移動できるカメラ台、メモ台、読書台、弁当台等の利用を可能とした家のイン、アウトの兼用蛇腹スタンド装置。
【手続補正２】
【補正対象書類名】明細書
【補正対象項目名】００２１
【補正方法】変更
【補正の内容】
【００２１】自転車など二輪車両のハンドルフレームに取り付ける場合は、強力クリップの、主に楕円形部分で支持し、会社、工場、家庭の家具やデスクなどに取り付ける場合は、主に平板の部分を利用して固定する兼用蛇腹スタンド装置。
【手続補正書】
【提出日】平成21年6月29日(2009.6.29)
【手続補正１】
【補正対象書類名】手続補正書
【補正対象項目名】手続補正３
【補正方法】追加
【補正の内容】
【手続補正３】
【補正対象書類名】明細書
【補正対象項目名】００３２
【補正方法】変更
【補正の内容】
【００３２】強力クリップを対象物に留める際は、マジックテープ（登録商標）の摩擦力を追加してその補助として使用する。